(57)【要約】      （修正有）【課題】偏光眼鏡を室内で試着する場合などにおいて、偏光眼鏡を実際に屋外で使用した場合の偏光などの反射光の除去を実感でき、反射光のような偏光を含まずに界面を通過した光のみを選択的に透過できる偏光眼鏡の性能が明確に現れ、偏光眼鏡の視認性能を実感できる偏光画像のディスプレー装置とする。【解決手段】偏光画像のディスプレー装置は、基台１ａの上面に、透明な透視板２ａを、基台１ａの前方に立つ成人が目視により透視可能であるように、基台１ａの前方へ挟角θ2だけ傾斜させた状態で基台１ａ上面に固定した凹溝型の台座１１を設けて支持し、第１画像表示面４を基台１ａ後方の挟角θ1の壁面Ｂ上に設けて透視板２ａを前方より透視観察できるようにし、透視板２ａを透視観察する側の基台１ａ上には、第２画像表示面５を透視板２ａと９０°未満の挟角θ2にて交差するように設ける。【選択図】図１
2014145918.tif 000002
【特許請求の範囲】
【請求項１】
基台に透明な透視板を透視可能に支持させて設けると共に、前記透視板を透視して観察可能な第１画像表示面を設け、前記透視板の透視観察する側には第２画像表示面を前記透視板と９０°未満の挟角θ2で交差するように設け、前記第１画像表示面の前記透視板を透過した画像が前記透視板の透視観察する側から肉眼で視認される際、前記第２画像表示面の前記透視板に反射した偏光画像が前記透視板を透過した画像に重なるように、前記第１画像表示面を前記第２画像表示面に対して挟角θ2より大きな挟角θ1を形成するように配置してなる偏光画像のディスプレー装置。
【請求項２】
前記第１画像表示面が、室外の画像を表示する面であり、かつ前記第２画像表示面が、室内の画像を表示した面である請求項１に記載の偏光画像のディスプレー装置。
【請求項３】
前記第２画像表示面が、照明装置を備えて照度調整可能な第２画像表示面である請求項１または２に記載の偏光画像のディスプレー装置。
【請求項４】
前記挟角θ1は、６０〜９０°である請求項１〜３のいずれかに記載の偏光画像のディスプレー装置。
【請求項５】
前記挟角θ２は、６０〜８５°である請求項１〜４のいずれかに記載の偏光画像のディスプレー装置。
【発明の詳細な説明】
【技術分野】
【０００１】
この発明は、偏光眼鏡による偏光のカット性能を視覚によって確認するために用いられる偏光画像のディスプレー装置に関するものである。
【背景技術】
【０００２】
一般に、偏光眼鏡は、反射光線の眩しさ（物体表面に斜めに反射して偏光した光）を除くために、偏光膜をガラスまたはプラスチック製のレンズ素材中に一体的に保持させた偏光レンズを使用している。
【０００３】
因みに、偏光膜は、ヨウ素、二色性染料などで染色されたポリビニルアルコールなどの薄いフィルムを３〜５倍程度に延伸し、染色用の分子を配向させて光学的なスリットを形成したものである。
【０００４】
このような偏光膜を使用したレンズを用いた偏光眼鏡は、野外などの高照度環境、その他の偏光を含む照度環境で用いられ、眩しく感じられる偏光をカットする機能によって、水面下を観察する必要のある海や川などでの魚釣り、養魚場の作業、山登りやスキー、航空機や自動車の操縦や運転時などに用いられる。
【０００５】
また、偏光眼鏡の室内用途としては、立体映画観賞用の眼鏡の他、例えば肉眼では見えないが印刷面に隠れた潜像を見るために使用されることもある（特許文献１）。
【先行技術文献】
【特許文献】
【０００６】
【特許文献１】特開平９−２１１３８９号公報
【発明の概要】
【発明が解決しようとする課題】
【０００７】
しかし、偏光眼鏡は、需要者が購入する際に、その性能を実感できる機会が殆どなく、通常、偏光をカットする機能を実際できるのは、購入後に屋外などの環境で使用してみるときが初めてになることが多い。
【０００８】
従来、偏光眼鏡を室内で用いる場合もあるが、単に肉眼では見えない潜像が見えるという程度に偏光眼鏡の性質を利用しているに過ぎないので、実際に屋外などで使用した場合のように反射光を低減できる効果を室内で実感できるものではない。
【０００９】
また、空気、水、ガラス等の二つの物質の界面を透過する光に反射光が多く含まれている状態を想定し、偏光眼鏡によって充分に界面を透過できて視認性が高まることを実感できる室内用のディスプレー装置は、眼鏡需要者にも販売者にも必要性が高いと考えられる。
【００１０】
そこで、この発明の課題は、上記した問題を解決し、需要者が偏光眼鏡を室内で試着する場合などにおいて、偏光眼鏡を実際に屋外で使用した場合のように、反射光の除去を実感でき、室内でも偏光を含まずに界面を通過した光のみを選択的に透過できる偏光眼鏡の性能が明確になり、偏光眼鏡の視認性能を実感できる偏光画像のディスプレー装置とすることである。
【課題を解決するための手段】
【００１１】
上記の課題を解決するために、この発明では、基台に透明な透視板を透視可能に支持させて設けると共に、前記透視板を透視して観察可能な第１画像表示面を設け、前記透視板の透視観察する側には第２画像表示面を前記透視板と９０°未満の挟角θ2で交差するように設け、前記第１画像表示面の前記透視板を透過した画像が前記透視板の透視観察する側から肉眼で視認される際、前記第２画像表示面の前記透視板に反射した偏光画像が前記透視板を透過した画像に重なるように、前記第１画像表示面を前記第２画像表示面に対して挟角θ2より大きな挟角θ1を形成するように配置してなる偏光画像のディスプレー装置としたのである。
【００１２】
上記したように構成されるこの発明の偏光画像のディスプレー装置は、基台に透明な透視板を透視可能に支持させて設けているので、基台の外側にある第１画像表示面を、透明板を通して視認できる。
【００１３】
その際、前記透視板の透視観察する側には第２画像表示面が、前記透視板と９０°未満の挟角θ2を形成するように立ち上げて設けられているので、第１画像を見ようとする人の肉眼には、第１画像表示面を照らす光が透視板を透過して見える画像と、第２画像表示面の透視板に反射した光による画像（偏光画像）とが重なって同時に認識されることになる。
【００１４】
また、このような２つの画像が同時に認識される状態を維持しながら、第１画像表示面が、人の目で基台の直前または１〜２ｍ程度の前方から透視板を通して見えるようにするためには、第１画像表示面を前記第２画像表示面に対して挟角θ2より大きな挟角θ1を形成するように配置する必要がある。
【００１５】
そして、このとき肉眼では、第１画像表示面の画像と第２画像表示面の画像が重なって見えるが、偏光眼鏡を掛けた人が偏光レンズを通して見ると、偏光画像が偏光レンズによってカットされるので、窓板を透過して見える第１画像表示面の画像のみを視認することができ、偏光眼鏡の装着感を実感することができる。
【００１６】
また、偏光画像が前記窓板を透過した画像と重なるように見え、かつ充分に偏光眼鏡の装着を実感できるようにするためには、前記した第１画像表示面が室外の画像を表示する面であると共に、前記した第２画像表示面が、室内の画像を表示した面であることが好ましい。
【００１７】
このようにすると人が室内または車内に居て比較的明るい室内（第２画像表示面）から室外（屋外）を窓から眺めた状態が再現され、室内から窓板の反射光（偏光）をカットできる偏光眼鏡の装着感を実感することができる。
【００１８】
また、第２画像表示面が、照明装置を備えて照度調整可能なものにすることにより、ディスプレー装置の窓内部を見るときに、相当に反射光の多く含まれる光線で第１画像表示面を視認させることができ、第２画像表示面の照度に合わせて偏光性能のより優れたものの機能を実感させることができる偏光画像のディスプレー装置になる。
【００１９】
前記挟角θ1は、好ましくは６０〜９０°程度にすると、暗箱の外部の上方から見下ろして箱内部を視認するのが容易であり、また前記挟角θ２は、６０〜８５°程度であることが、第２画像表示面の偏光性能を必要に応じて変化させ調整することが容易にできる。
【発明の効果】
【００２０】
この発明は、画像が透視板を通して肉眼で視認される際に、透視板に反射した偏光画像が透視板を透過した画像と重なるように画像表示面を配置したディスプレー装置としたので、肉眼では透視板を透過した画像と偏光画像が重なって見えるが、偏光眼鏡を掛けた人が偏光レンズを通して見ると、偏光画像が偏光レンズによってカットされるので、透視板を透過して見える画像のみを視認することができ、偏光眼鏡の装着感を実感することができる利点がある。
【００２１】
また、実際に偏光眼鏡を屋外で使用した場合のように偏光の除去能力を実感でき、偏光を含まない光のみを選択的に透過できる偏光眼鏡の性能が明確に現れ、景色などの視認性能を実感できる偏光画像のディスプレー装置となる利点もある。
【図面の簡単な説明】
【００２２】
【図１】第１実施形態を示し、偏光画像のディスプレー装置の内部構造の説明図
【図２】第１実施形態を示し、偏光画像のディスプレー装置の斜視図
【図３】第１実施形態の偏光眼鏡で視認した場合の説明図
【図４】第２実施形態を示し、偏光画像のディスプレー装置の内部構造の説明図
【図５】第２実施形態を示し、偏光画像のディスプレー装置の斜視図
【図６】第２実施形態の窓を偏光眼鏡で視認した場合の説明図
【図７】第２実施形態の窓を肉眼で視認した場合の説明図
【発明を実施するための形態】
【００２３】
この発明の実施形態を以下に添付図面を用いて説明する。
図１〜３に示すように、第１実施形態の偏光画像のディスプレー装置は、基台１ａの上面に、例えば自動車のフロントグラスと同質のガラス素材からなる透明な透視板２ａを、基台１ａの前方に立つ成人が目視により透視可能であるように、基台１ａの前方へ挟角θ2だけ傾斜させた状態で基台１ａ上面に固定した凹溝型の台座１１を設けて支持し、第１画像表示面４を基台１ａ後方の挟角θ1（９０°）の壁面Ｂ上に設けて透視板２ａを前方より透視観察できるようにし、透視板２ａを透視観察する側の基台１ａ上には、第２画像表示面５を透視板２ａの板面と９０°未満の挟角θ2（約６０°）にて交差するように設けている。
【００２４】
すなわち、第１実施形態のディスプレー装置は、基台１ａの上面に透明な透視板２ａを透視可能に傾斜状に支持させて設けているので、基台１ａの外部の壁面Ｂまたは家具、それらに張られたポスターもしくは窓または風景などの第１画像表示面４を、透視板２ａを通して視認することができる。
【００２５】
そして、透視板２ａを透過した第１画像表示面４の画像が、透視板２ａの透視観察する側から肉眼で視認される際、第２画像表示面５の透視板２ａに反射した偏光画像が、透視板２ａを透過した画像に重なるように、第１画像表示面４を第２画像表示面５に対して挟角θ2より大きな挟角θ1を形成するように配置している。
【００２６】
上記した第１実施形態の基台１ａは、合板等で形成した直方体状のディスプレー用の台であり、人がその前に立ち、または椅子に腰掛ける等して透視板２ａを見やすいものであればよく、他の周知形状の机や箱などを利用することもできる。
【００２７】
また、透視板２ａは、反射または透過画像が歪まないように、厚みの均一な平板状のものであることが好ましく、その材質は、前記したように自動車のフロントグラスと同質のガラス素材等からなる透明質のものを利用することができ、その他、ガラス素材以外のアクリル板などの樹脂製またはこれらを積層した透明な複合材料から形成された周知な素材であってもよい。
このような透視板２ａは、第１画像表示面４の光を透過可能な透明性があればよく、暗くて透視画像が見え難くなりすぎない程度にまで着色されたものは好ましくない。
【００２８】
図２に示すように、壁面Ｂ上に貼り付けられている第１画像表示面４としては、山岳風景が掲載されたポスターを示したが、他の景色が掲載されたポスターや絵画、テレビ等の液晶画面その他の電子画像表示面やスクリーンなどであってもよく、または壁面Ｂに外部への窓（図示せず。）が設けられている場合には、実際に見える景色や他の室内など空間への覗き窓などであってもよい。
【００２９】
図３に示すように、第１実施形態では、自動車の運転席から見たハンドルおよびダッシュボード付近の写真画像からなる第２画像表示面５を基台１ａの上面に設けているので、基台１ａの前に立った人が肉眼Ａ（図１）で透視板２ａを透かして見ると、山岳風景の写真画像９からなる第１画像表示面４と、ハンドルおよびダッシュボード周辺部分の自動車内の写真画像１０からなる第２画像表示面５の偏光画像１０´（図３中に一点鎖線で示す）が重なって見え、車外の風景である第１画像表示面４のみを明確に認識することが困難である。
【００３０】
一方、偏光眼鏡の偏光レンズ８（図１）を通して透視板２ａを見ると、偏光画像として自動車の運転席から見たハンドルおよびダッシュボード周辺部分の写真画像１０が偏光レンズ８によってカットされるので、透視板２ａを透過して見える山岳風景の写真画像９のみ（図中の一点鎖線の画像を除く）を視認することができ、偏光眼鏡の装着感を実感することができる。
なお、前記した第２画像表示面５は、その裏面側などに照明装置（図示せず）を設けて、偏光をより強く透視板２ａに反射させることもできる。
【００３１】
図４、５に示すように、第２実施形態の偏光画像のディスプレー装置は、方形状の暗箱１ｂからなる基台の上面に上方から見下ろして箱内部を視認可能な窓３を設けて、その内側に透明な平板状の透視板２ｂを傾斜状にして嵌め、透視板２ｂより内側に風景からなる第１画像表示面４をほぼ水平な状態に固定して設け、窓３の後部側の縁にほぼ垂直に立ち上げた長方形状の背板６を設けてこの表面に自動車の室内画像の第２画像表示面５を設け、第２画像表示面５は透視板２ｂに対して９０°未満の挟角θ2を形成するように配置している。
【００３２】
そして、第１画像表示面４は、第２画像表示面５に対して挟角θ2より大きな挟角θ1を形成するように配置しているので、透視板２ｂを透過した光線で視認される第１画像表示面４の画像は、透視板２ｂを通して肉眼Ａで視認される際に、第２画像表示面５から透視板２ｂに反射した光による偏光画像と重なって見える。
【００３３】
上記した暗箱１ｂは、合板などの木材や合成樹脂の成形品等を用いて作製できるものであり、その形状は図示した方形状の箱体に限定されるものではなく、様々なデザインを選択的に採用し、例えば丸みを帯びた形状にすることもできる。暗箱１ｂは、その内部に外部からの光が無用に入り込まないように制限したものであるが、全く光を入れないものばかりでなく、内部の照度を調整するため、必要に応じて外光を取り入れ、または内部に照明を設けたものであってもよい。
【００３４】
透視板２ｂは、窓３の内側に保持されるが、暗箱１ｂの前面部に保持され、背面側の第２画像表示面５に近づくほど低くなるように傾斜させて保持され、第２画像表示面５と透視板２ｂの表面とは９０°未満の挟角θ2を形成するように配置されている。
【００３５】
第１画像表示面４の配置は、透視板２ｂより暗箱１ｂの内側、即ち透視板２ｂの下方位置に通常は水平に、または第２画像表示面５に対して挟角θ2より大きな挟角θ1を形成するように配置されている。挟角θ1は、前述した理由によって６０〜９０°であることが好ましく、また挟角θ２は、６０〜８５°であることが好ましい。
これらの挟角θ1が上記数値範囲外の角度では、第１画像表示面４が窓３から、暗箱１ｂの前面の上方において見え難くなって好ましくなく、挟角θ1が上記数値範囲外の角度では、第２画像表示面が、暗箱１ｂの前面上方において見え難くなって好ましくない。
【００３６】
第１画像表示面４および第２画像表示面５は、いずれも写真画像であってもよく、その他のフィルムや紙、板、布その他のシートに文字、記号、図形などからなる意匠を表示したものであり、必要に応じて発光させるか、または直接または間接照明によって部分的、または全体に照度を調節することもできる。
【００３７】
図示した第２画像表示面５は、白色系統のスクリーン（生地）に、キャッチフレーズを構成する文字列を記載すると共に、その下部に自動車の運転席から見たハンドルおよびダッシュボード周辺部分の写真画像を上下逆向きに印刷したものである。
【００３８】
そして、第２画像表示面５は、ある程度の光量を透過する布製スクリーン等を方形状の枠に貼り付けて設けると共に、その背後には間隔を空けて複数のＬＥＤ７からなる照明装置（電気配線および電源の記載は省略した）を均等に配置して設け、電気的にスクリーン全体の照度調整を可能にすることができる。
【００３９】
このようにすると透視板２ｂを透過した光線で視認される第１画像表示面４の画像を、第２画像表示面５から透視板２ｂに反射した光による偏光画像と重ねて肉眼または偏光レンズ８を介して視認するとき、第２画像表示面５の画像の照度を電気的に調整して偏光画像を強くすることも弱くすることもでき、偏光レンズ８の偏光性能を実感することができる。
【００４０】
図７に示すように、具体的な画像として、山岳風景の写真画像からなる第１画像表示面４を設け、自動車の運転席から見たハンドルおよびダッシュボード付近の写真画像からなる第２画像表示面５を設けたものを用いて説明すると、肉眼では窓３から山岳風景の写真画像９からなる第１画像表示面４と、ハンドルおよびダッシュボード周辺部分の自動車内の写真画像（上下逆像）１０からなる第２画像表示面の偏光画像１０´が重なって見える。
【００４１】
一方、図４および図６に示すように、偏光眼鏡の偏光レンズ８（図１参照）を通して窓３を見ると、偏光画像として自動車の運転席から見たハンドルおよびダッシュボード周辺部分の写真画像１０が偏光レンズ８によってカットされるので、暗箱１ｂの外部から第１画像表示面４を照らす光によって透視板２ｂを透過して見える山岳風景の写真画像９のみを視認することができ、偏光眼鏡の装着感を実感することができる。
【符号の説明】
【００４２】
１ａ  基台
１ｂ  暗箱
２ａ、２ｂ  透視板
３  窓
４  第１画像表示面
５  第２画像表示面
６  背板
７  ＬＥＤ
８  偏光レンズ
９  山岳風景の写真画像
１０  自動車内の写真画像
１１  台座
Ａ  肉眼
Ｂ  壁面
【図１】
2014145918.tif 000003
【図２】
2014145918.tif 000004
【図３】
2014145918.tif 000005
【図４】
2014145918.tif 000006
【図５】
2014145918.tif 000007
【図６】
2014145918.tif 000008
【図７】
2014145918.tif 000009